(57)【要約】【課題】庇設置作業を効率化し、庇設置後は保守、管理に手数を要しない庇を提供する。【解決手段】庇１は、庇板２と、建物の外壁に固定され庇板２の後端部を全長にわたり上下から挟んで保持する一対の保持板部３２，３３を有する保持具３と、保持具３の上側の保持板部３２と庇板２の後端部との間に介在させる帯板状のシール材７とを含む。各保持板部３２，３３は、複数の対向する位置を貫通するボルト通し孔３６，３７を有し、各ボルト通し孔３６，３７と庇板２の後端部に設けられたボルト貫通孔２７とに通されたボルト９により庇板２の後端部と上下の保持板部３２，３３との間が締め付けられて上側の保持板部３２と庇板２の後端部との間がシール材７により止水される。【選択図】図２
2019210612.tif 000002
【特許請求の範囲】
【請求項１】
庇板と、建物の外壁に固定され前記庇板の後端部を全長にわたり上下から挟んで保持する一対の保持板部を有する保持具と、前記保持具の上側の保持板部と前記庇板の後端部との間に介在させる帯板状のシール材とを含み、
前記各保持板部は、複数の対向する位置を貫通するボルト通し孔を有し、各ボルト通し孔と前記庇板の後端部に設けられたボルト貫通孔とに通されたボルトにより庇板の後端部と上下の保持板部との間が締め付けられて上側の保持板部と庇板の後端部との間が前記シール材により止水される庇。
【請求項２】
前記シール材は、ボルト通し孔の前側の位置で、前記上側の保持板部と庇板の後端部との間を止水する請求項１に記載の庇。
【請求項３】
前記シール材は、前記上側の保持板部の下面に設けられた凹溝内に位置する請求項１または２に記載の庇。
【請求項４】
前記シール材は、前記凹溝の溝底に接着されている請求項３に記載の庇。
【請求項５】
前記ボルトは、ボルトの頭部が上側の保持板部の上面に支持され、ボルトの軸部が下側の保持板部のボルト通し孔より下方へ突出してナットがねじ込まれる請求項１に記載の庇。
【請求項６】
前記保持具は、前記背板部の前面に前記一対の保持板部が一体形成されたものである請求項１に記載の庇。
【請求項７】
前記保持具は、前記庇板より上方に位置する第１の背板部と、前記第１の背板部から独立し前記庇板より下方に位置する第２の背板部とを有し、前記第１の背板部は、前面より突出する上側の保持板部を一体に備え、前記第２の背板部は、前面より突出し上側の保持板部と対向する下側の保持板部を一体に備える請求項１に記載の庇。
【請求項８】
前記保持具は、前記庇板より上方に位置する第１の背板部と、前記第１の背板部より独立し前記庇板より下方に位置する第２の背板部とを有し、前記第１の背板部は、前面より突出する上側の保持板部を一体に備え、前記第２の背板部は、前面より突出し上側の保持板部と対向する下側の保持板部を一体に備え、第１の背板部と第２の背板部の少なくとも一方は、上側の保持板部と下側の保持板部との間へ突出する突板部を一体に備える請求項１に記載の庇。
【請求項９】
前記保持具上に被せられる上部カバーをさらに含み、前記上部カバーは、前端部に前記庇板の後端部の上面に突き当てられ複数箇所がねじ止めされる固定部を有し、前記固定部と庇板の後端部の上面との間が帯板状の第２のシール材により止水される請求項１〜８のいずれかに記載の庇。
【発明の詳細な説明】
【技術分野】
【０００１】
この発明は、庇板が前方へ張り出すように建物の外壁に設置される防水構造を備えた庇に関する。
【背景技術】
【０００２】
従来、その種の庇として、図９に示すように、建物の外壁に取り付けられた保持具１００により庇板１０１の後端部が全幅にわたって保持された構造のものがある（例えば特許文献１参照）。建物の外壁は、外装パネルのような外壁材により覆われている。保持具１００は外壁材の表面ｕに取り付け固定される。庇板１０１は、複数の板材を側端面が互いに突き合わされるようにして幅方向に連結されている。
【０００３】
保持具１００は、建物の外壁に複数本のボルト１０２によって固定される背板部１０３と、背板部１０３の前面に一体形成される上下一対の保持板部１０４，１０５とを有する。上側の保持板部１０４と下側の保持板部１０５との間には庇板１０１の後端部が差し込まれる。庇板１０１の後端面は背板部１０３の前面に突き当たっており、この状態で庇板１０１の後端部が上下の保持板部１０４，１０５間に挟まれた状態でボルト１０６およびナット１０７により締め付け固定される。
【０００４】
保持具１００には、上部カバー１０８と下部カバー１１１とが上下から被せられている。上部カバー１０８の前端部は庇板１０１の上面に突き当たり、後端部は背板部１０３の上端部にねじ止めされる。上部カバー１０８の前端部と庇板１０１との間および上部カバー１０８の後端部と外壁材の表面ｕとの間にコーキング材１０９，１１０がそれぞれ充填される。
【０００５】
庇を建物の外壁に設置するには、保持具１００を複数のボルト１０２により建物の外壁に取り付けた後、保持具１００の上下の保持板部１０４，１０５間に庇板１０１の後端部を差し込み、ボルト１０６およびナット１０７により締め付け固定する。その後、保持具１００の上下に上部カバー１０８および下部カバー１１１を装着する。
上記の組立作業が完了した後、上部カバー１０８の前端部と庇板１０１の後端部との間および上部カバー１０８の後端部と外壁材の表面ｕとの間にコーキング材１０９，１１０をそれぞれ充填する。
【先行技術文献】
【特許文献】
【０００６】
【特許文献１】特許第４１９２１９９号公報
【発明の概要】
【発明が解決しようとする課題】
【０００７】
コーキング材１０９，１１０の充填作業は、高所での作業であるため、作業効率が悪く、この作業に多くの時間が費やされる。また、充填されたコーキング材１０９，１１０は、直接雨水に晒されるため、劣化が早く、頻繁に補修する必要があり、保守、管理に手数を要する。
【０００８】
この発明は、上記の問題に着目してなされたもので、庇設置作業を効率化し、庇設置後は保守、管理に手数を要しない庇を提供することを目的とする。
【課題を解決するための手段】
【０００９】
この発明による庇は、庇板と、建物の外壁に固定され庇板の後端部を全長にわたり上下から挟んで保持する一対の保持板部を有する保持具と、保持具の上側の保持板部と庇板の後端部との間に介在させる帯板状のシール材とを含む。各保持板部は、複数の対向する位置を貫通するボルト通し孔を有し、各ボルト通し孔と庇板の後端部に設けられたボルト貫通孔とに通されたボルトにより庇板の後端部と上下の保持板部との間が締め付けられて上側の保持板部と庇板の後端部との間がシール材により止水される。
【００１０】
上記した構成の庇は、建物の外壁に保持具を取り付けた後、保持具の上下の保持板部間に庇板の後端部を差し込み、ボルトにより締め付け固定する。
この締め付けによって、帯板状のシール材は上側の保持板部と庇板の後端部との対向する各面に密接するので、上側の保持板部と庇板の後端部との間がシール材により全幅にわたり止水され、雨水が保持具内に浸入して流下するのが阻止される。シール材はその上面に上側の保持板部が被さるので、雨水に直接晒されず、劣化が抑えられる。
【００１１】
シール材は、ボルト通し孔の前側の位置で、上側の保持板部と庇板の後端部との間を止水するのが望ましく、ボルト通し孔の前側と後側の両方の位置で止水するようにしてもよい。
【００１２】
シール材は、位置ずれ防止のために、上側の保持板部の下面に設けられた凹溝内に位置させるのが望ましく、さらに、凹溝の溝底に接着されるのが望ましい。
【００１３】
この発明の一実施態様においては、ボルトは、ボルトの頭部が上側の保持板部の上面に支持され、ボルトの軸部が下側の保持板部のボルト通し孔より下方へ突出してナットがねじ込まれる。
【００１４】
保持具は種々の態様のものが考えられるが、その一実施態様は、背板部の前面に一対の保持板部が一体形成されたものである。
【００１５】
他の実施態様の保持具は、庇板より上方に位置する第１の背板部と、第１の背板部から独立し庇板より下方に位置する第２の背板部とを有する。第１の背板部は、前面より突出する上側の保持板部を一体に備える。第２の背板部は、前面より突出し上側の保持板部と上下に対向する下側の保持板部を一体に備える。
【００１６】
さらに他の実施態様の保持具は、庇板より上方に位置する第１の背板部と、前記第１の背板部より独立し庇板より下方に位置する第２の背板部とを有する。第１の背板部は、前面より突出する上側の保持板部を一体に備える。第２の背板部は、前面より突出し上側の保持板部と上下に対向する下側の保持板部を一体に備える。第１の背板部と第２の背板部の少なくとも一方は、上側の保持板部と下側の保持板部との間へ突出する突板部を一体に備える。
【００１７】
この発明による庇は、庇板と保持具とシール材に加えて、保持具上に被せられる上部カバーをさらに含むものである。
上部カバーは種々の態様のものが考えられるが、その一実施態様は、前端部に庇板の後端部の上面に突き当てられ複数箇所がねじ止めされる固定部を有し、固定部と庇板の後端部の上面との間が帯板状の第２のシール材により止水される。
【発明の効果】
【００１８】
この発明によると、高所でのコーキング材の充填作業が減少するうえに、庇板の後端部を保持具に固定する作業によってシール材も設置されるので、庇設置作業が効率化される。また、シール材は直接雨水に晒されないので、劣化が進みにくく、保守、管理に手数を要しない。
【図面の簡単な説明】
【００１９】
【図１】一実施態様の庇の外観を示す斜視図である。
【図２】図１の実施態様の庇の構成を示す断面図である。
【図３】庇板を前方から見た端面図である。
【図４】保持具に庇板が組み付けられる状態を示す斜視図である。
【図５】保持具に庇板が組み付けられる状態を示す断面図である。
【図６】他の実施態様の庇の構成を示す断面図である。
【図７】他の実施態様の庇の構成を示す断面図である。
【図８】他の実施態様の庇の構成を示す断面図である。
【図９】従来の庇の構成を示す断面図である。
【発明を実施するための形態】
【００２０】
図１は一実施態様の庇の外観を、図２はその庇の構造を、それぞれ示す。
図示の庇１は、建物の外壁から張り出すように設置されるもので、庇板２と、建物の外壁に固定され庇板２の後端部を全幅にわたって保持する保持具３と、庇板２の前端縁に全幅にわたって装着される前縁板４と、保持具３上に被せられる上部カバー５と、保持具３に下方より被せられる下部カバー６とを含む。庇板２、保持具３、前縁板４、上部カバー５、および下部カバー６を構成する材料にはアルミニウムの押出型材が用いられる。図１において、１０は保持具３の両端の開放部分を塞ぐ端板である。なお、以下の説明において、庇板２が建物の外壁から張り出す方向を「前後方向」、前後方向および上下方向と直交する方向を「幅方向」という。
【００２１】
庇１は、庇板２がわずかに前側へ低く傾いた前下がり状態で保持具３により庇板２の後端部が保持される。なお、建物の外壁からの張出し量や幅が大きな庇については、必要に応じて、庇板２の少なくとも１箇所をサポートポールにより支持するのが望ましい。また、庇板２は後側へ低く傾いた後下がり状態で後端部を保持するようにしてもよい。
【００２２】
建物の外壁は、外装パネルのような外壁材Ｘにより表面が覆われている。以下の説明において、建物の外壁は、外壁材Ｘにより覆われる面を「下地面ｗ」といい、外壁材Ｘの表面ｕと区別する。
【００２３】
庇板２は、図１および図３に示すように、側端面を互いに付き合わせて幅方向に連結される複数の中間板材２１と、両側位置の中間板材２１の外側端面にそれぞれ連結される側板材２２，２２とで構成される。各中間板材２１は両側端面に第１、第２の各係合片２３，２４を備える。各側板材２２は内側端面に中間板材２１の第１の係合片２３と係合する第２の係合片２４、または中間板材２１の第２の係合片２４と係合する第１の係合片２３のいずれかを備える。第１、第２の各係合片２３，２４は、隣合う板材の一方を他方に対して前後方向へ摺動させることにより係合するもので、図４には中間板材２１を矢印ｑで示す前後方向へ摺動させて組み付けている状態が示されている。
【００２４】
各中間板材２１の内部には、補強のためのリブ２６が一体形成され、さらに、各リブ２６の位置に補強板２５が設けられている。なお、庇板２は、種々の態様のものがあり、複数の中空の板材を連結した図３に示す構成態様のものに限らず、例えば全体が一枚構成のものであってもよい。
【００２５】
保持具３は、建物の下地面ｗに背面を密接させて複数のアンカーボルト８により固定される背板部３１と、背板部３１の前面より突出し庇板２の後端部を上下から挟んで保持する一対の保持板部３２，３３とを有する。上側の保持板部３２と下側の保持板部３３とは互いに平行であり、上下に対向している。上側の保持板部３２と下側の保持板部３３との間は、庇板２を構成する各中間板材２１および各側板材２２の後端部が挿入される溝３４を構成する。上下の保持板部３２，３３は背板部３１の前面に一体に形成されており、上下方向へわずかな可撓性を有し、後述するボルト９およびナット９２により上下方向へ締め付けられたとき、溝３４が閉じる方向へわずかに撓む。
【００２６】
溝３４は、図４に示すように、庇板２を構成する各板材２１，２２の後端部を前方より差し込むことが可能な溝幅を有し、前面が全長にわたって開放されている。上側の保持板部３２は、図５に示すように、わずかに上開きであり、下側の保持板部３３はわずかに下開きである。溝３４の溝底での溝幅ｄ２は各板材２１，２２の後端部の厚みとほぼ一致しており、溝３４の溝開口部での溝幅ｄ１は、ｄ１＞ｄ２である。
【００２７】
背板部３１および上下の保持板部３２，３３は、庇板２の全幅に対応する長さを有する。背板部３１には、上下の保持板部３２，３３間の位置に、アンカーボルト８が挿入されるボルト挿通孔３５が一定間隔毎に横一列に設けられている。図２において、８２はアンカーボルト８の頭部８０と背板部３１との間に介在させる座金である。
【００２８】
上下の保持板部３２，３３の複数の対向する位置には、図２および図４に示されるように、貫通するボルト通し孔３６，３７がそれぞれ設けられる。庇板２の後端部の各ボルト通し孔３６，３７に対応する位置にはボルト貫通孔２７が設けられる。各ボルト通し孔３６，３７とボルト貫通孔２７とは上下に連通し、これらの孔に一連に通されたボルト９の軸部９１にナット９２がねじ込まれることにより庇板２の後端部は上下の保持板部３２，３３間に挟着されて固定される。
【００２９】
ボルト９は、上側の保持板部３２の上方より軸部９１がボルト通し孔３６へ挿入され、中間板材２１または側板材２２のボルト貫通孔２７および下側の保持板部３３のボルト通し孔３７を一連に貫通する。ボルト９の頭部９０は上側の保持板部３２の上面に支持される。ボルトの軸部９１は下側の保持板部３３のボルト通し孔３７より下方へ突出し、ナット９２がねじ込まれる。図２において、９３はボルトの頭部９０と上側の保持板部３２との間に介在させる座金、９４はナット９２と下側の保持板部３３との間に介在させる座金である。
【００３０】
なお、ボルト９は、下側の保持板部３３の下方より軸部９１をボルト通し孔３７へ挿入してもよい。この場合、ボルト９の頭部９０は下側の保持板部３３の下面に支持され、軸部９１は上側の保持板部３２のボルト通し孔３６より上方へ突出し、ナット９２がねじ込まれる。
【００３１】
上側の保持板部３２と庇板２の後端部との間には、帯板状のシール材７が庇板２の全幅にわたって設けられる。シール材７は、ボルト９に対するナット９２の締め付けによって上側の保持板部３２が下方に撓むので、上側の保持板部３２の下面と庇板２の後端部の上面とに密接する。これによって、シール材７は、ボルト通し孔３６の前側の位置で、上側の保持板部３２と庇板２の後端部との間を止水する。
【００３２】
シール材７は、全長にわたって同一幅、同一厚みを有しており、上側の保持板部３２の下面に形成された一定深さの凹溝３８内に嵌まった状態で定位する。凹溝３８は庇板２の全幅にわたり、前端面および両側端面が開放されているが、このような開放された形態に限られるものではない。シール材７は、凹溝３８の溝底に接着剤により貼設されるが、接着は必ずしも必要ではない。なお、シール材７を凹溝３８の溝底に接着するのに、表裏両面に粘着層を有する粘着テープを用いるとよい。
【００３３】
シール材７として、天然ゴム、シリコンゴムのような合成ゴムなど、弾性を有するものが好適であるが、止水が可能であれば、弾性を有するものに限定されず、例えば植物繊維や皮革などを用いてもよい。シール材７が弾性を有する場合、シール材７の厚みを凹溝３８の溝深さよりわずかに大きく設定することにより、ボルト９に対するナット９２の締め付けによりシール材７が溝深さに対応する厚みにまで圧縮変形するので、水密性が高められる。
【００３４】
保持具３の背板部３１の上端部には、斜め上方へ突出する第１の係合突起３２ａが、下側の保持板部３３の下面には下方へ突出する第２の係合突起３２ｂが、それぞれ全幅にわたり一体に形成されている。第１の係合突起３２ａには上部カバー５の下面に下向きに突設された突片５０が係合する。第２の係合突起３２ｂには下部カバー６の後端縁が係合する。下部カバー６の前端縁は下側の保持板部３３の前端縁に係合する。
【００３５】
上部カバー５の前端部には、庇板２の後端部の上面に全幅にわたって突き当てられ複数箇所がねじ止めされる第１の固定部５１が設けられる。上部カバー５の後端部には建物の外壁の下地面ｗに突き当てられ複数箇所がねじ止めされる第２の固定部５２が設けられる。
【００３６】
第１の固定部５１は、上部カバー５の前端部に屈曲させて形成された帯板状の前縁部５３を有し、前縁部５３に複数個の孔５３ａが幅方向へ一定間隔で形成されたものである。各孔５３ａにねじ５４が通され、庇板２の後端部にねじ込まれることにより上部カバー５の前端部が庇板２の後端部の上面に固定される。前縁部５３の下面には、前端面および両側端面が開放された凹溝５５が全幅にわたって形成され、凹溝５５に帯板状の第２のシール材５６が嵌め込まれて止水される。
【００３７】
第２の固定部５２は、上部カバー５の後端部に屈曲させて形成された帯板状の後縁部５７を有し、後縁部５７に複数個の孔５７ａが幅方向へ一定間隔で形成されたものである。後縁部５７は建物の外壁の下地面ｗ上であって外壁材Ｘの背後に位置している。各孔５７ａに皿状のねじ５８が通され、外壁の下地面ｗにねじ込まれることにより上部カバー５の後端部が外壁の下地面ｗに固定される。
【００３８】
上部カバー５は、第１の固定部５１と第２の固定部５２との間が前側へ低く傾斜し湾曲する傾斜部５０ａとなっている。傾斜部５０ａの緩やかに傾斜する後部と外壁材Ｘの下端部との間に隙間ｓがある。隙間ｓには後部側に緩衝材としての弾性材５９ａが嵌められ、前部側にコーキング材５９ｂが充填されている。コーキング材５９ｂは、隙間ｓを埋めて防水性を得るためのもので、その機能に加えて、地震の揺れ等に対して緩衝材としても機能する。
【００３９】
図６〜図８は、他の実施態様の庇をそれぞれ示している。各実施態様における保持具３は、庇板２の上方に位置する第１の背板部３１Ａと、第１の背板部３１Ａから独立し庇板２の下方に位置する第２の背板部３１Ｂとを有する。第１の背板部３１Ａは、前面より突出する上側の保持板部３２を一体に備える。第２の背板部３１Ｂは、前面より突出し上側の保持板部３２と対向する下側の保持板部３３を一体に備える。
【００４０】
図６に示す実施態様は、第１の背板部３１Ａと第２の背板部３１Ｂとが完全に分離し独立した態様のものである。第１、第２の各背板部３１Ａ，３１Ｂは、アンカーボルト８により建物の外壁の下地面ｗにそれぞれ固定される。庇板２の後端面は下地面ｗに突き当たっている。
【００４１】
図７，８に示す実施態様は、第１の背板部３１Ａと第２の背板部３１Ｂとを互いに係合して連結させた態様のものである。第１、第２の各背板部３１Ａ，３１Ｂは、それぞれ複数のアンカーボルト８により建物の外壁の下地面ｗに固定されている。図７に示す実施態様では、第２の背板部３１Ｂに第１の背板部３１Ａに向けて突出する突板部３１Ｃを一体に備えている。突板部３１Ｃの先端部と第１の背板部３１Ａの下端部との間には、互いに係合する係合凸部３９ａと係合凹部３９ｂとがそれぞれ形成されている。庇板２の後端面は突板部３１Ｃの前面に突き当たる。
【００４２】
図８に示す実施態様では、第１、第２の各背板部３１Ａ，３１Ｂは、下側の保持板部３３と上側の保持板部３２との間へ突出する突板部３１Ｃ，３１Ｄをそれぞれ一体に備えたものである。各突板部３１Ｃ，３１Ｄの先端部間には互いに係合する係合凹部３９ｂと係合凸部３９ａとがそれぞれ形成されている。庇板２の後端面は両方の突板部３１Ｃ，３１Ｄの前面に突き当たる。
【００４３】
図６〜図８の各実施態様においても、上側の保持板部３２と庇板２の後端部との間に帯板状のシール材７が庇板２の全幅にわたって設けられている。シール材７は、ボルト９に対するナット９２の締め付けによって上側の保持板部３２と庇板２の後端部との対向する各面に密接する。なお、シール材７の上側の保持板部３２への取付構造は、図２に示す実施態様と同様であり、ここでは対応する構成に同一の符号を付することで説明を省略する。
【００４４】
上記の各実施態様においては、上部カバー５の前端部は上側の保持板部３２の前端部に、後端部は第１の背板部３１Ａの上端部に、それぞれ係合させているだけであり、図２の実施態様のようにねじ止めされていない。
【００４５】
上記した構成の庇１を建物の外壁に設置するには、まず、建物の外壁の下地面ｗに複数本のアンカーボルト８により保持具３を水平に取り付ける。つぎに、図４に示されるように、保持具３の上下の保持板部３２，３３間の溝３４内へ庇板２を構成する側板材２２および中間板材２１の後端部を順次差し込み、上側の保持板部３２のボルト通し孔３６よりボルト９を挿入して庇板２のボルト貫通孔２７および下側の保持板部３３のボルト通し孔３７を通し、ボルト９に対してナット９２を締め付け固定する。
【００４６】
庇板２の後端部を保持具３に固定するためのボルト９、ナット９２の締め付けによって、帯板状のシール材７が上側の保持板部３２の凹溝３８の溝底と庇板２の後端部の上面とに密接し、上側の保持板部３２と庇板２の後端部との間がシール材７により庇板２の全幅にわたり止水され、保持具３の内部への雨水の浸入が阻止される。
【００４７】
その後、保持具３上に上部カバー５を被せ、また、保持具３の下方から下部カバー６を被せる。下部カバー６は前端部および後端部を保持具３に係合させて取り付けられる。上部カバー５は、第１の固定部５１の前縁部５３を庇板２の後端部の上面に突き当ててねじ５４によりねじ止めし、第２の固定部５２の後縁部５７を建物の外壁の下地面ｗに当ててねじ５８によりねじ止めする。その後、建物の外壁の下地面ｗを外壁材Ｘで覆った後、外壁材Ｘの下端と上部カバー５の後端部との隙間ｓに弾性材５９ａを嵌め、コーキング材５９ｂをコーキングガンなどで充填する。
【００４８】
シール材７はその上面に上側の保持板部３２が被さり、上方が上部カバー５によりさらに覆われるので、雨水に直接晒されず、劣化が抑えられる。
【符号の説明】
【００４９】
１    庇
２    庇板
３    保持具
５    上部カバー
７    シール材
９    ボルト
２７  ボルト貫通孔  
３１  背板部
３１Ａ  第１の背板部
３１Ｂ  第２の背板部
３１Ｃ，３１Ｄ  突板部
３２，３３  保持板部
３６，３７  ボルト通し孔
３８  凹溝
５１  第１の固定部
５２  第２の固定部
５６  第２のシール材
９２  ナット
【図１】
2019210612.tif 000003
【図２】
2019210612.tif 000004
【図３】
2019210612.tif 000005
【図４】
2019210612.tif 000006
【図５】
2019210612.tif 000007
【図６】
2019210612.tif 000008
【図７】
2019210612.tif 000009
【図８】
2019210612.tif 000010
【図９】
2019210612.tif 000011